(57)【要約】【課題】  別画面に遷移するときの２度押し防止を可能にする。【解決手段】  画像形成装置Ａは、画像形成部９、表示部７ａ、検出部１５、通信部１１および表示制御部１３を有する。表示部７ａは、背景画面とこれに画面情報を表示した表示フレームを表示する。検出部１５は表示フレームにおける画面情報への操作指示を検出する。通信部１１は、検出された操作指示を外部に送信し、これに基づき次に表示させる表示フレームに係る次画面情報を受信する。表示制御部１３は、次画面情報の要求がなされたとき、背景画面に設けた機能として表示フレームからの操作指示入力をロック制御する。表示制御部１３は、受信された次画面情報について描画完了をブラウザが検出したとき、そのロック状態を解除制御し、次画面としての表示フレームを表示部に表示制御する。【選択図】  図１
2011138257.tif 000002
【特許請求の範囲】
【請求項１】
機器において、背景画面とこの背景画面に種々の画面情報とを表示した表示フレームを表示する表示部に対し、ブラウザにより一の前記表示フレームを表示する表示工程と、
前記表示部の前記表示フレームにおける前記画面情報への操作指示を検出する検出工程と、
検出された前記操作指示に基づき次に表示させる表示フレームに係る次画面情報を要求する要求工程と、
前記次画面情報の要求がなされたとき、前記背景画面に設けた機能として前記表示フレームからの前記操作指示の入力をロックする入力ロック工程と、
前記操作指示の要求に基づき、所定のＷｅｂアプリケーションプログラムによって当該操作指示に対応する前記次画面情報を応答する画面応答工程と、
応答された前記次画面情報の前記表示フレームにおける描画完了を前記ブラウザが検出したとき、前記ロック状態を解除し、次画面としての前記表示フレームを前記表示部に切替え表示する画面切替工程と、
を具備することを特徴とする画面切替方法。
【請求項２】
前記入力ロック工程は、前記背景画面に設けた前記機能として前記操作指示の入力をロックする透過性のロックフレームを前記表示部の最前面に表示し、前記画面切替工程は、描画完了を前記ブラウザが検出したとき、前記ロックフレームを除去する請求項１項記載の画面切替方法。
【請求項３】
前記入力ロック工程は、前記背景画面自体を前記ロックフレームとして表示する請求項２記載の画面切替方法。
【請求項４】
前記入力ロック工程は、前記背景画面に付属する前記ロックフレームを表示する請求項２項記載の画面切替方法。
【請求項５】
画像データからこれを画像形成する画像形成部と、
ブラウザに基づき、背景画面とこの背景画面に前記画像データに係る種々の画面情報を表示した表示フレームを表示する表示部と、
この表示部の前記表示フレームにおける前記画面情報への操作指示を検出する検出部と、
検出された前記操作指示を外部に送信するとともにこれに基づき次に表示させる表示フレームに係る次画面情報を受信する通信部と、
前記表示フレームを表示制御するとともに、前記次画面情報の要求がなされたとき、前記背景画面に設けた機能として前記表示フレームからの前記操作指示の入力をロック制御し、前記操作指示の要求に基づき受信された前記次画面情報について、前記表示フレームにおける前記次画面情報の描画完了を前記ブラウザが検出したとき、前記ロック状態を解除制御し、次画面としての前記表示フレームを前記表示部に切替え表示制御する表示制御部と、
を具備することを特徴とする画像形成装置。
【請求項６】
前記表示制御部は、前記背景画面に設けた前記機能として前記操作指示の入力をロックする透過性のロックフレームを前記表示部の最前面に表示制御するとともに、前記表示制御部は、前記描画完了を前記ブラウザが検出したとき、前記ロックフレームを除去する請求項５項記載の画像形成装置。
【請求項７】
前記表示制御部は、前記背景画面自体を前記ロックフレームとして表示する請求項６記載の画像形成装置。
【請求項８】
前記表示制御部は、前記背景画面に付属する前記ロックフレームを表示制御する請求項６項記載の画面形成装置。
【請求項９】
前記請求項５〜８いずれか１項記載の画像形成装置と、これにネットワークを介して接続された情報処理装置とを具備し、
前記情報処理装置は、前記画像形成装置からの前記操作指示の要求に基づき、所定のＷｅｂアプリケーションプログラムによって当該操作指示に対応する次画面情報を前記表示フレームに対して応答する画面応答制御部を具備することを特徴とする画面切替制御システム。
【発明の詳細な説明】
【技術分野】
【０００１】
本発明は画面切替方法、画像形成装置および画面切替制御システムに係り、電子機器、特に、ブラウザを搭載した複写機、プリンタ、ファクシミリ機又はこれらの機能を有する複合機（ＭＦＰ：Multi Function Peripheral）等の画像形成装置に関する画面切替方法、当該画像形成装置および画面切替制御システムの改良に関する。
【背景技術】
【０００２】
従来、複合機等の画像形成装置においては、機能の豊富化に伴い、多数の操作ボタン等を画面情報として表示部に表示したり、表示した操作パネル部にタッチする等して操作指示する機能を有する構成が提供されている。
【０００３】
このような多機能の画像形成装置では、多数の表示画面を表示するため、Ｗｅｂ（World Wide Web）ブラウザ（ブラウザと略称する。）を搭載し、ネットワークを介して接続されたサーバコンピュータに対し、ＨＴＴＰ（HyperText Transfer Protocol）規約に従って要求メッセージをサーバコンピュータへ送信し、これに応じた応答メッセージを受信し、ブラウザがその応答メッセージを解析して表示部にそれら画面情報を切り替え表示する構成が提供されている。
【０００４】
ところが、サーバコンピュータに対する要求メッセージは、画像形成装置の表示部に表示された画面中の操作ボタン等をタッチ指示してそれを送信するが、操作ボタンへのタッチが２度押しされる場合が往々にしてあり、誤動作の原因になり易いから、２度押しを防止する工夫が求められる。
【０００５】
このような事態を防ぐため、例えば特開２００９−６４４０８号公報（特許文献１）のような情報処理装置が提案されている。
【０００６】
この特許文献１は、送信開始操作受付領域内を指示する入力操作を受け付けたとき、操作ボタン等の個々の送信開始操作受付領域や複数の送信開始操作受付領域全体を覆う透明フレームを前面に配置してなり、サーバの処理能力を低下させることなく、データの二重送信を防止したものである。
【先行技術文献】
【特許文献】
【０００７】
【特許文献１】特開２００９−６４４０８号公報
【発明の概要】
【発明が解決しようとする課題】
【０００８】
しかしながら、上述した特許文献１では、個々の送信開始操作受付領域に透明フレームを配置する構成であるため、確実な二重送信を防止するためには全ての送信開始操作受付領域に透明フレームを入れる必要があり、サーバコンピュータで動作させるＷｅｂアプリケーションプログラムの開発が煩雑である。
【０００９】
もっとも、上述した特許文献１では、複数の送信開始操作受付領域全体を覆う透明フレームを配置した構成も開示されているが、何れの送信開始操作受付領域を覆って透明フレームを配置するのかの特定が必要で、やはりサーバコンピュータで動作させるＷｅｂアプリケーションプログラムの開発が煩雑である。
【００１０】
複合機のような画像形成装置は、一般的なコンピュータ（パソコン）に比べてブラウザの処理速度が遅く、画面遷移時に操作ボタン等の表示が残ったり、次画面の操作ボタンがぱらぱらと表示される状態が生じ易く、この状態でユーザがタッチ操作してしまう心配があり、操作パネル上に表示させる画面遷移時の２度押し防止が必要である。
【００１１】
特に、近年、画像形成装置において、出荷した後にユーザがアプリケーションプログラムをカスタマイズし易いよう、製造メーカ側がＷｅｂアプリケーションプログラム開発用の作成ツール(ＳＤＫ：software  development kit）を提供するようになってきており、画面遷移時の２度押し防止等を意識することなくＷｅｂアプリケーションプログラム開発可能な手法が望まれている。
【００１２】
本発明はそのような課題を解決するためになされたもので、別画面に遷移するときに２度押し防止が可能で、２度押し防止を意識させることなくアプリケーションプログラムの作成も可能な画面切替方法、画像形成装置および画面切替制御システムの提供を目的とする。
【課題を解決するための手段】
【００１３】
そのような課題を解決するために本発明の請求項１に係る画面切替方法は、機器において、背景画面とこの背景画面に種々の画面情報とを表示した表示フレームを表示する表示部に対し、ブラウザにより一の表示フレームを表示する表示工程と、その表示部の表示フレームにおける画面情報への操作指示を検出する検出工程と、検出された操作指示に基づき次に表示させる表示フレームに係る次画面情報を要求する要求工程と、その次画面情報の要求がなされたとき、その背景画面に設けた機能として表示フレームからの操作指示の入力をロックする入力ロック工程と、その操作指示の要求に基づき、所定のＷｅｂアプリケーションプログラムによって当該操作指示に対応する次画面情報を応答する画面応答工程と、応答された次画面情報の表示フレームにおける描画完了をそのブラウザが検出したとき、そのロック状態を解除し、次画面としての表示フレームをその表示部に切替え表示する画面切替工程と、を具備している。
【００１４】
本発明の請求項２に係る画面切替方法は、上記入力ロック工程が、その背景画面に設けた機能として操作指示の入力をロックする透過性のロックフレームをその表示部の最前面に表示し、上記画面切替工程が、描画完了をブラウザが検出したときそのロックフレームを除去する構成である。
【００１５】
本発明の請求項３に係る画面切替方法は、上記入力ロック工程が、その背景画面自体をロックフレームとして表示する構成である。
【００１６】
本発明の請求項４に係る画面切替方法は、上記入力ロック工程が、その背景画面に付属するロックフレームを表示する構成である。
【００１７】
本発明の請求項５に係る画像形成装置は、画像データからこれを画像形成する画像形成部と、ブラウザに基づき、背景画面とこの背景画面に画像データに係る種々の画面情報を表示した表示フレームを表示する表示部と、この表示部の表示フレームにおける画面情報への操作指示を検出する検出部と、検出された操作指示を外部に送信するとともにこれに基づき次に表示させる表示フレームに係る次画面情報を受信する通信部と、その表示フレームを表示制御するとともに、次画面情報の要求がなされたとき、その背景画面に設けた機能として表示フレームからの操作指示の入力をロック制御し、その操作指示の要求に基づき受信された次画面情報について、その表示フレームにおける次画面情報の描画完了をブラウザが検出したとき、そのロック状態を解除制御し、次画面としての表示フレームをその表示部に切替え表示制御する表示制御部と、を具備している。
【００１８】
本発明の請求項６に係る画像形成装置は、上記表示制御部が、その背景画面に設けた機能として操作指示の入力をロックする透過性のロックフレームをその表示部の最前面に表示制御するとともに、上記表示制御部が、その描画完了をブラウザが検出したときそのロックフレームを除去制御する構成である。
【００１９】
本発明の請求項７に係る画像形成装置は、上記表示制御部が、その背景画面自体をロックフレームとして表示制御する構成である。
【００２０】
本発明の請求項８に係る画像形成装置は、上記表示制御部が、その背景画面に付属するロックフレームを表示制御する構成である。
【００２１】
本発明の請求項９に係る画面切替制御システムは、上記請求項５〜８いずれか１項記載の画像形成装置と、これにネットワークを介して接続された情報処理装置とを具備し、その情報処理装置は、画像形成装置からの操作指示の要求に基づき、所定のＷｅｂアプリケーションプログラムによって当該操作指示に対応する次画面情報をその表示フレームに対して応答する画面応答制御部を具備している。
【発明の効果】
【００２２】
このような本発明の請求項１、５に係る画面切替方法および画像形成装置では、背景画面とこの背景画面に種々の画面情報とを表示した表示フレームをブラウザによって表示部に表示し、この表示部の表示フレームにおける画面情報への操作指示を検出し、検出された操作指示に基づき次に表示させる表示フレームに係る次画面情報を要求したとき、その背景画面に設けた機能として表示フレームからの操作指示の入力をロックし、その操作指示の要求に対応する次画面情報が応答され、当該次画面情報の表示フレームにおける描画完了をそのブラウザが検出したとき、そのロック状態を解除し、次画面としての表示フレームをその表示部に切替え表示するから、次の別画面に遷移するとき２度押し防止が可能で、２度押し防止機能を意識することなくアプリケーションプログラムの作成も可能になる。
【００２３】
本発明の請求項２、６に係る画面切替方法および画像形成装置では、その背景画面に設けた機能として操作指示の入力をロックする透過性のロックフレームをその表示部の最前面に表示し、次画面の表示フレームに係る描画完了をブラウザが検出したときそのロックフレームを除去するから、画面遷移時における表示画面のスムースな表示を確保した状態で２度押し防止が可能である。
【００２４】
本発明の請求項３、７に係る画面切替方法および画像形成装置では、その背景画面自体をロックフレームとして表示するから、背景画面に係るデータ量をあまり増加させ難く、高速動作の確保も容易である。
【００２５】
本発明の請求項４、８に係る画面切替方法および画像形成装置では、その背景画面に付属するロックフレームを表示するから、背景画面自体のデータ構成をあまり複雑化させ難い。
【図面の簡単な説明】
【００２６】
【図１】本発明に係る画面切替方法を実施する画像形成装置および情報処理装置を含む画面切替制御システムを示す概略ブロック図である。
【図２】本発明に係る画面切替制御システムで用いるＷｅｂアプリケーションプログラムの概略を説明する図である。
【図３】本発明に係る画面切替制御システムの動作を説明する図である。
【図４】本発明に係る画面切替制御システムの動作を説明するフローチャートである。
【発明を実施するための形態】
【００２７】
以下、本発明の実施の形態を図面を参照して説明する。なお、本発明に係る画面切替方法、画像形成装置および情報処理装置は画面切替制御システムを説明する過程で説明する。
【００２８】
図１は本発明に係る画像形成装置および情報処理装置の実施の一形態を画面切替制御システムとともに示す概略ブロック図である。
【００２９】
図１において、画面切替制御システムは、画像形成装置ＡとこれにネットワークＮＴを介して接続された情報処理装置Ｂとを有して構成されている。
【００３０】
まず、画像形成装置Ａの構成から説明する。
【００３１】
図１において、画像形成装置Ａは、主制御部１を中心にして画像読取部３、記憶部５、操作パネル部７、印刷部９および通信部１１を有し、例えば複合機（ＭＦＰ）を構成している。画像形成装置Ａとしてはこれ以外にも種々の構成を有するが、本発明の要部ではないので説明および図示を省略する。
【００３２】
主制御部１は、画像読取部３、記憶部５、操作パネル部７、印刷部９および通信部１１その他を制御するものである。
【００３３】
画像読取部３は、画像形成装置Ａにおいて、主制御部１の制御の下、例えば印刷された原稿から画像を光学的に読み込み、フィルタ処理等をして電子的画像データを生成する公知のスキャナー等であり、生成した画像データが原稿の頁毎に記憶部５に順次記憶されるようになっている。
【００３４】
記憶部５は、画像読取部３からの画像データ、主制御部１の動作プログラム、後述する画像表示制御プログラムプログラムや、ＨＴＭＬ（HyperText Markup Language）言語文書に基づく画像画面を表示させるプログラムであるブラウザ（例えば、Microsoft社のInternet Explorer（商標））等を格納する読み書き可能な例えばハードディスク（ＨＤＤ）である。
【００３５】
操作パネル部７は、画像形成装置Ａの動作状態を画像画面で表示する表示部７ａとして機能するとともに、印刷する用紙である用紙の選択、印刷形態の選択、印刷部数の選択、印刷の実行又は中止等の指示入力部としての機能を有しており、主制御部１によって制御される。
【００３６】
表示部７ａは、主制御部１の制御の下、ブラウザの動作に基づき、背景画面とこの背景画面に画像データに係る種々の画面情報を表示した表示フレーム、その他を表示する機能を有している。
【００３７】
そのブラウザを制御する画像表示制御プログラムは、例えばJava（Sun Microsystems社の商標）アプレットやJavaスクリプト等によって予め作成され、ブラウザとともに画像形成装置Ａの供給時に予めこれに設定されている。なお、表示フレームの例は後述する。
【００３８】
印刷部９は、図示はしないが、主制御部１の制御の下、用紙のセットされる複数の給紙段と、給紙段から１次給紙された用紙を２次給紙するとともに、２次給紙された用紙に対し、画像データに基づき形成したトナー像を転写する画像形成部と、トナー像の転写された用紙を加熱定着する定着部その他を有して形成されている。
【００３９】
通信部１１は、主制御部１の制御の下、これにネットワークＮＴを介して上述した情報処理装置Ｂに対し検出操作指示を送信するとともに、これに基づき次に表示させる表示フレームに係る次画面情報を受信する機能を有している。
【００４０】
すなわち、通信部１１は、所定のプロトコル例えばＨＴＴＰ規約に従って要求メッセージ（ＨＴＴＰリクエスト）を送信し、情報処理装置Ｂからの応答メッセージ（ＨＴＴＰレスポンス）によるＨＴＭＬ文書を受信する機能を有している。
【００４１】
主制御部１は、ＣＰＵ（central processing unit）、このＣＰＵの起動プログラムを格納した作業用メモリ部、入出力インターフェース（いずれも図示せず。）を有し、上述した画像読取部３、記憶部５、操作パネル部７、印刷部９および通信部１１その他を制御するとともに、以下のように表示制御部１３および検出部１５としての機能を有している。
【００４２】
表示制御部１３は、ブラウザに基づき動作し、通信部１１を介して入力した情報処理装置Ｂからの応答メッセージ（ＨＴＴＰレスポンス）にあるＨＴＭＬ文書を解析し、得られた表示画像を表示フレームに描画して表示部７ａに対し表示制御する機能を有している。この表示フレームは、後述するように、背景画面上に種々の画面情報を配置してものである。
【００４３】
表示制御部１３は、後述するように、次画面情報の要求がなされたとき、背景画面に設けた機能として操作指示の入力をロックする透過性のロックフレームを表示部７ａの最前面に表示制御する機能を有する。
【００４４】
表示制御部１３は、受信した応答メッセージ（ＨＴＴＰレスポンス）に基づき、次画面としての表示フレームに対する描画完了をブラウザが検出したとき、ロックフレームを除去制御し、上述した次画面としての表示フレームを表示部７ａに表示制御する機能を有している。
【００４５】
なお、表示フレームにおける次画面情報の描画完了は、例えばＨＴＭＬ文書規約における「ｏｎｕｎｌｏａｄ」によれば良い。
【００４６】
検出部１５は、表示部７ａにおける表示フレームを表示中に、当該表示フレームにおける画面情報（表示項目）へのタッチ押下等の操作指示を検出し、検出された操作指示の要求を要求メッセージ（ＨＴＴＰリクエスト）として通信部１１に出力する機能を有している。
【００４７】
すなわち、表示制御部１３は、要求メッセージ（ＨＴＴＰリクエスト）の要求に対応する次画面情報を解析して表示フレームを表示制御するものである。
【００４８】
次に、情報処理装置Ｂを説明する。
【００４９】
情報処理装置Ｂは、図１に示すように、主制御部１７、記憶部１９、入力操作部２１、表示部２３、通信部２５および画面応答制御部２７を有する、例えばサーバコンピュータである。情報処理装置Ｂとしてはこれ以外にも種々の構成を有するが、本発明の要部ではないので説明および図示を省略する。
【００５０】
主制御部１７は図示しないＣＰＵ、ＲＯＭ（read only memory）、ＲＡＭ（random access memory）を有してなり、記憶部１９、入力操作部２１、表示部２３、通信部２５および画面応答制御部２７その他を制御するものである。
【００５１】
記憶部１９は、情報処理装置Ｂの動作プログラム、Ｗｅｂアプリケーションプログラムプログラムを格納した例えばハードディスクである。
【００５２】
Ｗｅｂアプリケーションプログラムは、画像形成装置Ａの画面表示を制御するプログラムであり、アプリケーションプログラムを開発するための作成ツール(ＳＤＫ）により、後述する表示フレーム等の画面情報を有して情報処理装置Ｂ又は図示しないコンピュータで作成される。
【００５３】
画面情報は、画像形成装置Ａや当該情報処理装置Ｂで表示させる以下の画面パーツを含むものであり、例えば図２に示すように、作成ツール(ＳＤＫ）を情報処理装置Ｂで実行させ、種々の画面パーツ（画面情報：表示部品）であるパネルコントロールＦ１、ボタン（次へ（ＮＥＸＴ））Ｆ２、ボタン（カラー印刷）Ｆ３、ボタン（片面印刷）Ｆ４、ボタン（両面印刷）Ｆ５等の一覧であるツールボックスＢＯＸを表示部２３に表示させ、操作入力部２１の操作により、パネルコントロールＦ１をドラッグして同一画面中のワークエリアＷｏｒｋ中にドロップして背景画面を設定するとともに、上述したボタンＦ２〜Ｆ５をドラッグしてパネルコントロールＦ１上にドロップして作成し、これらを１画面（表示フレーム）としてファイル化することにより作成される。
【００５４】
パネルコントロールＦ１は、上述したボタンＦ２〜Ｆ５が配置される背景画面であり、当該背景画面に設けた機能として操作指示の入力をロックする透過性のロックフレームを有している。なお、ロックフレームは、背景画面自体であってもよいし、背景画面に付属する別フレームであっても良い。
【００５５】
作成された当該画面に関連して表示される次画面も同様にして順次作成され（後述する図３参照）、Ｗｅｂアプリケーションプログラムの一部として構成される。
【００５６】
なお、作成ツール(ＳＤＫ）は、図示はしないが、製造メーカのＷｅｂサイト等からダウンロードして記憶する。
【００５７】
図１の入力操作部２１は、例えばキーボードおよびマウスであり、主制御部１７の制御の下、上述したパネルコントロールＦ１、ボタンＦ２〜Ｆ５をドラッグしてドロップする機能、表示部２３に表示された表示フレームにおいて表示項目への操作指示を入力指示する機能、その他の入力指示機能を有している。
【００５８】
表示部２３は、情報処理装置Ｂの動作状態等の画像画面や上述したＷｅｂアプリケーションプログラムの動作画面を表示するディスプレイであり、主制御部１７によって表示制御される。
【００５９】
通信部２５は、主制御部１７の制御の下、これにネットワークＮＴを介して上述した画像形成装置Ａに接続され、画像形成装置Ａからの要求メッセージ（ＨＴＴＰリクエスト）を受信し、次画面情報を含む対応する応答メッセージ（ＨＴＴＰレスポンス）を画像形成装置Ａに送信する機能を有するインターフェースである。
【００６０】
画面応答制御部２７は、画像形成装置Ａにおいてブラウザに基づき表示された表示フレームでの表示ボタンＦ２〜Ｆ５への操作指示を画像形成装置Ａから受け、操作指示の要求に基づき、Ｗｅｂアプリケーションプログラムによって当該操作指示に対応する次画面情報を応答する機能を有している。なお、画面操作指示に対応する次画面情報は、上述したようにＷｅｂアプリケーションプログラムによって作成される。
【００６１】
画面応答制御部２７は、画像形成装置Ａにおいて切り替わった表示フレームにおける表示ボタンＦ２〜Ｆ５への操作指示を画像形成装置Ａから受け、操作指示の要求に基づき、Ｗｅｂアプリケーションプログラムによって当該操作指示に対応する表示ボタンＦ２〜Ｆ５を背景画面に配置した次画面情報を表示フレームに対して順次応答する機能も有している。
【００６２】
次に、本発明の画面切替制御システムの動作を図３および図４を参照して説明する。
【００６３】
便宜上、情報処理装置Ｂからの応答メッセージ（ＨＴＴＰレスポンス）により、予め画像形成装置Ａの表示部７ａにはブラウザに基づき図３のような表示フレーム（例えば、ログイン画面（前画面））が表示されている（表示工程）、として説明する。
【００６４】
動作プログラムが起動し、図４のステップＳ１にて表示部７ａにおける表示フレームのボタンがクリックされると、検出部１５が当該表示フレームにおける表示ボタンＦ２〜Ｆ５への操作指示を検出し（検出工程）、ステップＳ２にて検出部１５が操作指示の要求メッセージ（ＨＴＴＰリクエスト）を情報処理装置Ｂ（Ｗｅｂアプリケーションプログラム）側へ送信して次画面情報を画面要求し（要求工程）、ステップＳ３に移る。
【００６５】
ステップＳ３では次画面情報の要求がなされたとき、図３Ｂに示すように、表示制御部１３が透過性のロックフレームをログイン画面上の最前面に表示し（入力ロック工程）、ステップＳ４に移る。図３ではロックフレームを斜め破線で図示する。
【００６６】
この状態では、表示フレームからの操作指示が入力されずにロックされ、情報処理装置Ｂとの通信中であっても、動作状態等の画面表示を目視することが可能である。
【００６７】
ステップＳ４では画面応答制御部２７が要求メッセージ（ＨＴＴＰリクエスト）が画像形成装置Ａからの要求に対し、Ｗｅｂアプリケーションプログラムによって当該操作指示に対応する次画面情報を表示フレームに対して画面応答する応答メッセージ（ＨＴＴＰレスポンス）を画像形成装置Ａに応答する（画面応答工程）。
【００６８】
続くステップＳ５にて表示制御部１３が、次画面情報である表示フレームに対して応答された当該次画面情報を解析し、表示フレームにおける次画面情報の描画を完了させ、ステップＳ６にて表示制御部１３が次画面としての表示フレームに対する描画完了をブラウザが検出したとき、ロックフレームを除去制御するとともに、表示フレーム（例えばメニュー画面：次画面）を表示部７ａに切り替え表示し（画面切替工程）、終了する。
【００６９】
なお、画像形成装置Ａにおいて、表示部７ａに表示された背景画面（パネルコントロールＦ１）は、情報処理装置Ｂから取得された１番目の表示フレームのものを継続使用することが可能である。
【００７０】
これらの主要な工程が本発明に係る画面切替方法を構成する。
【００７１】
このように本発明の画面切替制御システムは、画像形成装置ＡとこれにネットワークＮＴを介して接続された情報処理装置Ｂを有し、これらは以下の構成を有している。
【００７２】
すなわち、画像形成装置Ａは、画像データからこれを画像形成する印刷部（画像形成部）９と、ブラウザに基づき、背景画面とこの背景画面に画像データに係る種々の画面情報を表示した表示フレームを表示する表示部７ａと、この表示部７ａの表示フレームにおける画面情報への操作指示を検出する検出部１５と、検出された操作指示を外部に送信するとともにこれに基づき次に表示させる表示フレームに係る次画面情報を受信する通信部１１と、その表示フレームを表示制御するとともに、次画面情報の要求がなされたとき、その背景画面に設けた機能として透過性のロックフレームを表示制御し、その操作指示の要求に基づき受信された次画面情報について、その表示フレームにおける次画面情報の描画完了をブラウザが検出したとき、そのロックフレームを除去制御し、次画面としての表示フレームをその表示部に切替え表示制御する表示制御部１３と、を具備している。
【００７３】
また、情報処理装置Ｂは、画像形成装置Ａにおいてブラウザに基づき表示される表示フレームとして表示される表示フレームでの表示項目への操作指示を画像形成装置Ａから受け、その操作指示の要求に基づき、Ｗｅｂアプリケーションプログラムによって当該操作指示に対応する次画面情報を表示フレームに対して応答する画面応答制御部２７を具備している。
【００７４】
そのため、情報処理装置Ｂからの画面情報を表示させる画像形成装置Ａの表示部７ａにおいて、別画面に遷移するとき、操作指示の入力がロックされるから、２度押し防止が可能である。
【００７５】
また、背景画面に設けた機能として透過性のロックフレームを表示制御するから、その２度押し防止を意識させることなくＷｅｂアプリケーションプログラムの作成が可能である。
【００７６】
そして、透過性のロックフレームを表示部７ａの最前面に表示し、次画面の表示フレームに係る描画完了をブラウザが検出したときそのロックフレームを除去するから、画面遷移時の表示画面の表示を確保した状態で２度押し防止が可能である。
【００７７】
しかも、背景画面自体をロックフレームとして表示する構成では、背景画面に係るデータ量をあまり増加させ難く、高速動作の確保も容易であし、背景画面に付属するロックフレームを表示する構成では、背景画面事態のデータ構成をあまり複雑化させ難い。
【００７８】
しかも、スムースな画像切り替え表示も確保させ易いうえ、自動的にそれら機器操作指示および画面操作指示のロック状態を形成可能で、操作も簡素化される。
【００７９】
上述した本発明の実施の形態においては、次画面情報の要求がなされたとき、背景画面に設けた機能として操作指示の入力をロックする透過性のロックフレームを表示部７ａの最前面に表示する構成であったが、本発明はこれに限定されず、表示フレームからの操作指示の入力をロックする機能であれば本発明の目的達成が可能である。
【００８０】
また、ロックフレームは、入力をロックする透過性のフレームであれば良く、透明性又は半透明性、任意である。
【００８１】
そして、本発明の画面切替方法、画像形成装置Ａ、情報処理装置Ｂにおいても、上述した画面切替制御システムの効果と同様の効果が得られる。
【００８２】
なお、本発明の情報処理装置Ｂは、複写機、プリンタ、ファクシミリ機又はこれらの機能を有する複合機（ＭＦＰ）等の画像形成装置の画像表示制御に限定されず、種々の電子機器に応用可能である。
【符号の説明】
【００８３】
１、１７  主制御部
３  画像読取部
５、１９  記憶部
７  操作パネル部
７ａ、２３  表示部
９  印刷部（画像形成部）
１１、２５  通信部
１３  表示制御部
１５  検出部
２１  入力操作部
２７  画面応答制御部
Ａ  画像形成装置
Ｂ  情報処理装置（サーバコンピュータ）
ＮＴ  ネットワーク
【図１】
2011138257.tif 000003
【図２】
2011138257.tif 000004
【図３】
2011138257.tif 000005
【図４】
2011138257.tif 000006